(57)【要約】本発明は、使用者の左足が安着支持され、反時計方向に正回転し、時計方向に復帰する左足同伴回転部、および、使用者の右足が安着支持され、時計方向に正回転し、反時計方向に復帰する右足同伴回転部と、前記一対の足同伴回転部に対応するように一対のバネ部および一対の変形量分配部とを具備する。また、本発明は、使用者の左手の外回転に応じて反時計方向に正回転し、時計方向に復帰する、左手同伴回転部と、前記使用者の右手の外回転に応じて時計方向に正回転し、反時計方向に復帰する右手同伴回転部と、前記左手同伴回転部の反時計方向への変位に抵抗する時計方向への復元力を加える左弾性部と、前記右手同伴回転部の時計方向への変位に抵抗する反時計方向への復元力を加える右弾性部とを含むことを特徴とする体型矯正装置を提供する。
2015532177.tif 000002
【特許請求の範囲】
【請求項１】
左股関節の中立状態において、左膝関節を伸ばした使用者の左足と同伴回転するが、前記左足の外回転に応じて反時計方向に正回転し、時計方向に復帰する、左足同伴回転部と、
右股関節の中立状態において、右膝関節を伸ばした前記使用者の右足と同伴回転するが、前記右足の外回転に応じて時計方向に正回転し、反時計方向に復帰する、右足同伴回転部と、
一対の足同伴回転部に対応する一対のバネ部および一対の変形量分配部を具備し、
前記一対のバネ部は、それぞれ第１バネないし第ｎバネ（ｎ≧２）を有し、前記第１バネないし第ｎバネ（ｎ≧２の自然数）は、前記一対の足同伴回転部の正回転に連動して純変換され、前記左足同伴回転部の反時計方向への変位に抵抗する時計方向への復元力、および前記右足同伴回転部の時計方向への変位に抵抗する反時計方向への復元力を前記一対の足同伴回転部に加え、
前記一対の変形量分配部は、要求される大きさの前記復元力を前記一対の足同伴回転部に加えるために必要な純変形量を、前記第１バネないし第ｎバネに分配することを特徴とする体型矯正装置。
【請求項２】
第ｊバネ（ｊ＝２〜ｎ）は、第ｊ−１バネよりも大きなバネ定数を有することを特徴とする、請求項１に記載の体型矯正装置。
【請求項３】
前記体型矯正装置は、前記一対の足同伴回転部に、互いに異なる大きさの前記復元力を加える第１段階ないし第ｍ段階（ｍ≧２の自然数）を有し、
第ｋ段階（ｋ＝２〜ｍ）においては、第ｋ−１段階よりも大きな前記復元力を前記一対の足同伴回転部に加えることを特徴とする、請求項１に記載の体型矯正装置。
【請求項４】
第ｊバネ（ｊ＝２〜ｎ）は、第ｊ−１バネよりも大きなバネ定数を有し、
前記一対の変形量分配部は、前記第１バネの純変形量が第ｋ−１段階よりも第ｋ段階においてより小さく、前記第ｎバネの純変形量が第ｋ−１段階よりも第ｋ段階においてより大きくなるように、前記純変形量を分配することを特徴とする、請求項３に記載の体型矯正装置。
【請求項５】
前記第１バネないし第ｎバネのうち少なくとも一対は、第ｋ段階において初期変形量を有し、その初期変形量は、第ｋ’−１段階（ｋ’は、ｋ≧３を満足するｋ）よりも第ｋ’段階においてより大きいことを特徴とする、請求項３に記載の体型矯正装置。
【請求項６】
前記一対の変形量分配部は、それぞれレバーアームを含み、
前記レバーアームは、それぞれ第１支点を回転軸として回転し、第２支点に滑車を具備し、
前記ｎは、２であり、
第２バネは、一端は前記一対の足同伴回転部の正回転に影響を受けない固定端を成し、他端は前記一対の足同伴回転部に連結されて前記一対の足同伴回転部の正回転によって移動する移動端を成し、その一端と他端の間が前記滑車に巻掛されて、前記一対の足同伴回転部の正回転に連動して前記レバーアームを第１方向に回転させ、
前記第１バネは、前記第１支点と第２地点の間の第３支点に連結されて、前記レバーアームの第１方向への回転に抵抗することを特徴とする、請求項１に記載の体型矯正装置。
【請求項７】
前記体型矯正装置は、前記一対の足同伴回転部に互いに異なる大きさの前記復元力を加える第１段階ないし第ｍ段階（ｍ≧２の自然数）を有し、
第ｋ段階（ｋ＝２〜ｎ）においては、第ｋ−１段階よりも大きな前記復元力を前記一対の足同伴回転部に加え、
前記一対の足同伴回転部の正回転に連動して回転する前記レバーアームの回転角は、第ｋ−１段階よりも第ｋ段階においてより小さいことを特徴とする、請求項６に記載の体型矯正装置。
【請求項８】
前記体型矯正装置は、前記一対の足同伴回転部に、互いに異なる大きさの前記復元力を加える第１段階ないし第ｍ段階（ｍ≧２の自然数）を有し、
第ｋ段階（ｋ＝２〜ｎ）においては、第ｋ−１段階よりも大きな前記復元力を前記一対の足同伴回転部に加え、
前記第２バネは、第ｋ段階において初期変形量を有し、第ｋ’−１段階（ｋ’は、ｋ≧３を満足するｋ）よりも第ｋ’段階においてより大きな初期変形量を有するように、前記一端の初期位置が設定されることを特徴とする、請求項６に記載の体型矯正装置。
【請求項９】
左肩関節をぶら下げ、左肘関節を伸ばした前記使用者の左手と同伴回転するが、前記左手の外回転に応じて反時計方向に正回転し、時計方向に復帰する、左手同伴回転部と、
右肩関節をぶら下げ、右肘関節を伸ばした前記使用者の右手と同伴回転するが、前記右手の外回転に応じて時計方向に正回転し、反時計方向に復帰する、右手同伴回転部と、
前記左手同伴回転部の反時計方向への変位に抵抗する時計方向への復元力を加える左弾性部と、
前記右手同伴回転部の時計方向への変位に抵抗する反時計方向への復元力を加える右弾性部と、をさらに含むことを特徴とする、請求項１に記載の体型矯正装置。
【請求項１０】
左肩関節をぶら下げ、左肘関節を伸ばした使用者の左手と同伴回転するが、前記左手の外回転に応じて反時計方向に正回転し、時計方向に復帰する、左手同伴回転部と、
右肩関節をぶら下げ、右肘関節を伸ばした前記使用者の右手と同伴回転するが、前記右手の外回転に応じて時計方向に正回転し、反時計方向に復帰する右手同伴回転部と、
前記左手同伴回転部の反時計方向への変位に抵抗する時計方向への復元力を加える左弾性部と、
前記右手同伴回転部の時計方向への変位に抵抗する反時計方向への復元力を加える右弾性部と、を含むことを特徴とする体型矯正装置。
【請求項１１】
前記左弾性部と右弾性部は、バネであることを特徴とする、請求項１０に記載の体型矯正装置。
【請求項１２】
前記バネは、スパイラルバネ、ねじりコイルバネ、またはトーションバーであることを特徴とする、請求項１１に記載の体型矯正装置。
【請求項１３】
前記体型矯正装置は、一対の手同伴回転部に、互いに異なる大きさの前記復元力を加える第１段階ないし第ｍ段階（ｍ≧２の自然数）を有し、
第ｋ段階（ｋ＝２〜ｍ）においては、第ｋ−１段階よりも大きな前記復元力を前記一対の手同伴回転部に加えることを特徴とする、請求項１０に記載の体型矯正装置。
【請求項１４】
前記一対の弾性部は、第ｋ段階において初期変形量を有し、その初期変形量は、第ｋ’−１段階（ｋ’は、ｋ≧３を満足するｋ）よりも第ｋ’段階においてより大きいことを特徴とする、請求項１３に記載の体型矯正装置。
【発明の詳細な説明】
【技術分野】
【０００１】
本発明は、体型矯正装置に関し、足および／または手の外回転に抵抗力を加えて、股関節および／または肩関節の外回転筋肉を強化させることで矯正する体型矯正装置に関する。
【背景技術】
【０００２】
股関節は、臀部横部分のうち凸に突き出た骨の内側に位置して、骨盤と大腿骨を連結する関節を意味する。股関節が内回転変形されると、足がＯ字形に曲がるようになるが、従来は手術を通じてこれを矯正していた。しかし、こうした手術を通じた方法は、費用と時間がかかり、手続が煩雑であり、リスク負担を伴うという問題点があった。
【０００３】
したがって、本出願人らは、足の外回転を通じて股関節の外回転筋肉を強化させることにより下半身の足を矯正する装置を提案したことがある。前記矯正装置においては、３つのバネを採用し、各段階に合わせてそれぞれのバネを選択して、３つの段階の運動強度を具現することができた。たとえば、第１段階の運動強度を選択するためには最も弱いバネを選択し、第３段階の運動強度を選択するためには最も強いバネを選択する方式で、３つの段階の運動強度を具現することができた。
【０００４】
したがって、前記矯正装置においては、多様な運動強度を具現することができず、多様な運動強度を具現するためには、その数だけのバネが要求されるので矯正装置の単価を増加させる原因となり、矯正装置のサイズおよび重さを増加させる原因となるという問題点があった。また、要求される段階の数が増加するほど、このような細密な運動強度を具現することのできるバネを求めることも容易でないという限界があった。たとえば、１００段階の運動強度を具現する矯正装置を製造しようとする場合、１００個のバネが要求されるだけでなく、その１００個のバネがそれぞれ要求される多様なバネ定数を有していなければならないため、このように精密なバネを製造したり、購入したりすることも容易でないばかりか、製造することや求めることができるとしても、その製造または購入費用は、矯正装置の単価を急激に上昇させる結果を生むことになる。
【０００５】
一方、肩の後ろ側にある肩関節の外回転に必要な筋肉が弱くなると、肩が前方へと巻き込まれることになり、上半身の体型および脊椎の健康に問題を引き起こし得る。これは、高齢の老人や姿勢の悪い青少年らに多く観察される。
【発明の概要】
【発明が解決しようとする課題】
【０００６】
本発明は、前記した問題点を解決するために案出されたものであって、体型矯正装置において、下半身の脚矯正に必要な股関節の外回転筋肉を強化する構造と、上半身の矯正に必要な肩筋肉を強化する構造を結合することにより、上半身と下半身の全身の体型を同時に矯正することを可能にする装置を提供することに目的がある。それだけでなく、製造原価の増加ならびにサイズおよび重量の増加なしに、単純な構造によって多様な運動強度を具現することのできる矯正装置を提供することに目的がある。
【０００７】
また、本発明は、肘や肩関節をほぼ動かすことなしに運動することができるため、肘関節や肩関節に問題がある老弱者も容易に使用することのできる体型矯正装置を提供することに目的がある。
【課題を解決するための手段】
【０００８】
前記した目的を達成するために、本発明は、使用者の左足が安着支持され、反時計方向に正回転し、時計方向に復帰する左足同伴回転部、および使用者の右足が安着支持され、時計方向に正回転し、反時計方向に復帰する右足同伴回転部と、前記一対の足同伴回転部に対応するように一対のバネ部、および一対の変形量分配部とを備える。
【０００９】
前記バネ部は、第１バネないし第ｎバネ（ｎ≧２）を有し、前記第１バネないし第ｎバネ（ｎ≧２の自然数）のそれぞれは、前記足同伴回転部の正回転に連動して純変換され、その純変形に起因する復元力によって前記足同伴回転部の正回転に抵抗力を加える。
【００１０】
前記変形量分配部は、前記足同伴回転部の正回転に前記抵抗力を与えるために必要な前記純変形量を、前記第１バネないし第ｎバネに分配する。
【００１１】
第ｊバネ（ｊ＝２〜ｎ）は、第ｊ−１バネよりも大きなバネ定数を有してよい。
【００１２】
前記体型矯正装置は、前記足同伴回転部の正回転に互いに異なる前記抵抗力を加える第１段階ないし第ｍ段階（ｍ≧２の自然数）を有し、第ｋ段階（ｋ＝２〜ｍ）においては、第ｋ−１段階よりも大きな前記抵抗力を前記足同伴回転部の正回転に加えてよい。
【００１３】
前記変形量分配部は、前記第１バネの純変形量が第ｋ−１段階よりも第ｋ段階においてより小さく、前記第ｎバネの純変形量が第ｋ−１段階よりも第ｋ段階において大きくなるように、前記純変形量を分配してよい。
【００１４】
前記第１バネないし第ｎバネのうち少なくとも一つは、第ｋ段階において初期変形量を有し、その初期変形量は、第ｋ’−１段階（ｋ’は、ｋ≧３を満足するｋ）よりも第ｋ’段階においてより大きくしてよい。
【００１５】
前記変形量分配部は、レバーアームを含んでよい。
【００１６】
前記レバーアームは、第１支点を回転軸として回転し、第２支点に滑車を具備してよい。
【００１７】
前記ｎは、２であり、前記第２バネは、一端は前記足同伴回転部の正回転に影響を受けない固定端を成し、他端は前記足同伴回転部に連結されて前記足同伴回転部の正回転によって移動する移動端を成し、その一端と他端との間が前記滑車に巻掛されて、前記足同伴回転部の正回転に連動して前記レバーアームを第１方向に回転させ、前記第１バネは、前記第１支点と前記第２支点の間の第３支点に連結されて、前記レバーアームの第１方向の回転に抵抗してよい。
【００１８】
前記足同伴回転部の正回転に連動して回転される前記レバーアームの回転角は、第ｋ−１段階よりも第ｋ段階においてより小さくしてよい。
【００１９】
前記第２バネは、第ｋ段階において初期変形量を有し、第ｋ’−１段階（ｋ’は、ｋ≧３を満足するｋ）よりも第ｋ’段階においてより大きな初期変形量を有するように、前記一端の初期位置が設定されてよい。
【００２０】
また、本発明は、立った姿勢で左肩関節を楽にぶら下げ、左肘関節を伸ばした使用者の左手と同伴回転される、前記左手の外回転に応じて反時計方向に正回転し、時計方向に復帰する左手同伴回転部と、右肩関節を楽にぶら下げ、右肘関節を伸ばした前記使用者の右手と同伴回転される、前記右手の外回転に応じて時計方向に正回転し、反時計方向に復帰する右手同伴回転部と、前記左手同伴回転部の反時計方向の変位に抵抗する時計方向復元力を加える左弾性部と、前記右手同伴回転部の時計方向の変位に抵抗する反時計方向復元力を加える右弾性部とを含むことを特徴とする体型矯正装置を提供する。
【００２１】
前記左弾性部と右弾性部は、バネ、特に、スパイラルバネ、ねじりコイルバネ、またはトーションバーであってよい。
【発明の効果】
【００２２】
上記した構成によれば、本発明は、一回で下半身の体型矯正運動のみをしたり、上半身の体型矯正運動のみをしたりするのでなく、同時に上半身と下半身の矯正運動を並行することができる。また、製造費用の増加ならびにサイズおよび重さの増加なしに、単純な構造を通じて多様な運動強度を具現することができる体型矯正装置を提供することができるという効果がある。
【００２３】
また、肩関節の外回転筋肉を、肩関節と肘関節を動かない楽な動作で、楽にかつ容易に強化させることにより、上半身の体型を矯正することができる。特に、肩関節と肘関節の中立状態で運動をするため、肩関節や肘関節に痛みがある人や、肩関節や肘関節の筋力が弱い人でも、困難なしに使用することができる。また、構造が単純なため、製造原価を下げることができるという利点がある。
【図面の簡単な説明】
【００２４】
【図１】本発明の概念を説明するための概念図である。
【図２】本発明の概念を説明するための概念図である。
【図３】本発明の第１実施形態に係る体型矯正装置の外観図である。
【図４】図３の矯正装置において第ａ段階を示した内部構成図である。
【図５】図３の矯正装置において第ａ段階を示した内部構成図である。
【図６】図３の矯正装置において第ｂ段階を示した内部構成図である。（ａ＜ｂ）
【図７】図３の矯正装置において第ｂ段階を示した内部構成図である。（ａ＜ｂ）
【図８】図３の矯正装置において第ｃ段階を示した内部構成図である。（ａ＜ｂ＜ｃ）
【図９】図３の矯正装置において第ｃ段階を示した内部構成図である。（ａ＜ｂ＜ｃ）
【図１０】本発明の第２の実施形態に係る体型矯正装置の外観図である。
【図１１】図１０の体型矯正装置の手同伴回転部の初期状態を示した図である。
【図１２】図１０の体型矯正装置の手同伴回転部の正回転状態を示した図である。
【発明を実施するための形態】
【００２５】
以下、添付図面を参照しつつ、本発明の好ましい実施例を詳細に説明する。
【００２６】
本発明の好ましい実施例に係る体型矯正装置は、次のような使用環境を考慮した。
【００２７】
使用者の物理的な条件に応じて、たとえば、老弱者にとっては最大運動強度が相対的に小さくなければならず、青年男性にとっては最大運動強度が相対的に大きいことが、身体に無理を与えることなく最大の矯正効果を得ることができるため好ましい。
【００２８】
また、同一の使用者であっても、初期にはウォーミングアップモードで弱い運動強度から漸進的に強い運動強度へと増加されることが好ましく、中期にはメインモードで強い運動強度が維持されることが好ましく、末期にはクーリングダウンモードで強い運動強度から弱い運動強度へと漸進的に減少されることが好ましい。
【００２９】
また、運動強度がマクロ的に増加される初期、運動強度がマクロ的に維持される中期、および運動強度がマクロ的に減少する末期であっても、ミクロ的には、運動強度が増加と減少を繰り返しながらマクロ的に増加、維持および減少されるようにして、飽きないように運動することが好ましい。たとえば、初期に段階１→段階２→段階３のように線形的に運動強度を増加させたり、段階１→段階１→段階２→段階２→段階３のように段階的に運動強度を増加させたりすることよりは、段階１→段階２→段階３→段階２→段階３→段階４→段階３のように、ミクロ的には運動強度に継続的に変化を与えながら、マクロ的には運動強度を増加させることが好ましいこととなり得る。また、たとえば、５０回１セットの運動（足同伴回転部の正回転および復帰を１回とする）をする場合に、最大運動強度を段階７としたとき、中期に運動強度の変化なしに段階７が継続的に維持されるのでなく、たとえば、段階６と段階７の間を継続的に行ったり来たりするように設定して、使用者が運動する際に、同じ強度で運動する場合における退屈を感じないようにすることが好ましいこととなり得る。
【００３０】
このように多様な運動目的の達成のために、運動強度は多様に調節され得ることが好ましい。
【００３１】
図１および図２は、本発明の概念を説明するための概念図である。
【００３２】
本発明は、基本的に複数のバネを使用し、その複数のバネそれぞれに適切な変形量を分配することにより、これらから得られる復元力の組み合わせによって、必要かつ多様な抵抗力を作り出す。このような概念について、図１および図２を通じて説明する。
【００３３】
図１および図２は、第１バネ２１０と第２バネ２２０の２つのバネを使用する。第２バネ２２０のバネ定数は、第１バネ２１０のバネ定数よりも大きい。したがって、バネに同一量の変形がなされた場合、第１バネ２１０に比べて第２バネ２２０に、より大きな復元力が生じることを意味する。
【００３４】
本発明の矯正装置は、複数のバネに適切な変形量を分配するために、変形量分配部を具備する。図１および２において、変形量分配部は、レバーアーム３１０を含む。
【００３５】
レバーアーム３１０は、第１支点３１０ａを回転軸として回転される。図１においては、第１バネ２１０は、レバーアーム３１０の第２支点３１０ｂの近くに、そして第２バネ２２０は、レバーアーム３１０の第１支点３１０ａの近くに連結されている。一方、図２においては、第１バネ２１０は、レバーアーム３１０の第１支点３１０ａの近くに、そして第２バネ２２０は、レバーアーム３１０の第２支点３１０ｂの近くに連結されている。
【００３６】
したがって、レバーアーム３１０の第２支点３１０ｂを同一の回転変位だけ引っ張ったときに伴われるバネの変形量は、図１においては、第１バネが第２バネよりも大きく、図２においては、第２バネが第１バネよりも大きい。
【００３７】
したがって、レバーアーム３１０の第２支点３１０ｂを同一の回転変位だけ引っぱるために必要な力Ａは、図１よりも図２においてより大きい。これは、後述する足同伴回転部１０１に加えられる抵抗力が図１よりも図２においてより大きいことを意味する。
【００３８】
これを変形量分配部の観点から見ると、図１のように、相対的により小さい抵抗力を得るためには、より小さいバネ定数を有する第１バネ２１０により多くの変形量を分配し、図２のように、相対的により大きな抵抗力を得るためには、より大きなバネ定数を有する第２バネにより多くの変形量を分配するのである。
【００３９】
図１および図２の矯正装置をより実用的に具現したのが、図３〜図９の矯正装置である。
【００４０】
図３は、本発明の第１の実施形態に係る体型矯正装置の外観図である。
【００４１】
図示したところのように、本発明の第１の実施形態に係る体型矯正装置は、外観構成として、持ち手１０、背もたれ部２０、ハウジング３０、および足同伴回転部１０１を含んでよい。
【００４２】
持ち手１０は、使用者が起立した状態で足同伴回転部１０１に上がって矯正装置を使用することを助ける。背もたれ部２０は、使用者の背中を支持して、使用者の便宜性を向上させる。ハウジング３０は、図４〜図９に示す内部構成部を保護する。
【００４３】
足同伴回転部１０１は、左足同伴回転部と右足同伴回転部による一つの対を具備する。図３において、左側に図示されている足同伴回転部１０１は、使用者の右足が安着支持される右足同伴回転部であり、右側に図示されている足同伴回転部１０１は、使用者の左足が安着支持される左足同伴回転部である。使用者は、足同伴回転部に上がって、股関節の中立状態において膝関節を伸ばし、足を足同伴回転部とともに回転させる。
【００４４】
足同伴回転部１０１の外郭には、足が離脱しないように顎部１０３、１０４が左右それぞれ一つずつ設けられている。
【００４５】
図４および図５は、図３の矯正装置において第ａ段階を示した内部構成図であって、足同伴回転部の正回転の前後をそれぞれ示している。図６および図７は、図３の矯正装置において第ｂ段階（ａ＜ｂ）を示した内部構成図であって、足同伴回転部の正回転の前後をそれぞれ示している。図８および図９は、図３の矯正装置において第ｃ段階（ａ＜ｂ＜ｃ）を示した内部構成図であって、足同伴回転部の正回転の前後をそれぞれ示している。
【００４６】
左足同伴回転部（図４〜図９においては、左側に図示された足同伴回転部）は、反時計方向に正回転し、時計方向に復帰する。右足同伴回転部（図４〜図９においては、右側に図示された足同伴回転部）は、時計方向に正回転し、反時計方向に復帰する。矯正装置は、左足同伴回転部に対応するように左バネ部を具備し、右足同伴回転部に対応するように右バネ部を具備する。矯正装置は、左足同伴回転部に対応するように左変形量分配部を具備し、右足同伴回転部に対応するように右変形量分配部を具備する。
【００４７】
バネ部は、第１バネ２１０および第２バネ２２０を有する。第２バネ２２０は、第１バネ２１０よりも大きなバネ定数を有する。したがって、同一の量だけ変形したとき、第２バネ２２０は、第１バネ２１０よりも大きな復元力を有する。図４〜図９は、バネとしてコイルバネを図示しているが、これは、あくまでも例示にすぎず、本発明がこれに限定されるのではない。
【００４８】
変形量分配部は、レバーアーム３１０を含む。レバーアーム３１０は、第１支点３１０ａを回転軸として回転し、第２支点３１０ｂに滑車３２０を備える。
【００４９】
第２バネ２２０は、一端は足同伴回転部１０１の正回転に影響を受けない固定端を成し、他端は足同伴回転部１０１に連結されて足同伴回転部１０１の正回転によって移動する移動端を成す。第２バネ２２０のその一端と他端との間には、滑車３２０に巻掛されて足同伴回転部１０１の正回転に連動して、レバーアーム３１０を第１方向に回転させる。第２バネ２２０は、バネ本体２２１との連結体２２３を具備するが、滑車３２０に巻掛される部位は、連結体となることが好ましい。たとえば、コイルバネがバネ本体として使用される場合、コイルバネが滑車に挟まって円滑な動作を妨害し得るためである。しかし、滑車に巻掛される部位以外には、どの部位でもバネ本体が来てよい。図４〜図９においては、第２バネの一端と近い部位にバネ本体が来ていることを示しているが、他端に近い部位にバネ本体が来てもよく、一端および他端に近い部位ともにバネ本体が来てもよい。
【００５０】
一方、第１バネ２１０は、一端は一支点２１０ａに固定され、他端はレバーアーム３１０の第１支点３１０ａと前記第２支点３１０ｂの間の第３支点３１０ｃに固定されて、レバーアーム３１０の第１方向への回転に抵抗する。
【００５１】
足同伴回転部、一支点１０５を軸に正回転すると、第２バネは、純変形する。第２バネが純変形されつつレバーアームの第２支点３１０ｂを引くと、レバーアームは、第１支点３１０ａを回転軸として第１の方向へと回転する。これに伴い、第１バネが純変形する。すなわち、足同伴回転部が正回転すると、これに連動して、第１バネも純変形する。ここで、純変形は、総変形において後述する初期変形を差し引いた変形を意味する。第１バネ２１０は、その純変形によって復元力を有するようになる。第２バネ２２０もまた、その純変形によって復元力を有するようになる。第１バネ２１０が有する復元力および第２バネ２２０が有する復元力によって、足同伴回転部１０１の正回転に抵抗力が加えられる。
【００５２】
体型矯正装置は、足同伴回転部１０１の正回転に互いに異なる抵抗力を加える第１段階ないし第ｍ段階（ｍ≧２の自然数）を有する。第ｋ段階（ｋ＝２〜ｍ）においては、第ｋ−１段階よりも大きな抵抗力を足同伴回転部１０１の正回転に加える。図６および図７は、図４および図５よりも高い段階を示し、図８および図９は、図６および図７よりも高い段階を示す。
【００５３】
変形量分配部は、足同伴回転部１０１の正回転に抵抗力を与えるために必要な純変形量を、第１バネ２１０および第２バネ２２０に分配する。変形量分配部は、前記第１バネ２１０の純変形量が第ｋ−１段階よりも第ｋ段階においてより小さく、前記第２バネ２２０の純変形量が第ｋ−１段階よりも第ｋ段階においてより大きくなるように、前記純変形量を分配する。すなわち、第１バネ２１０の純変形量は、図４および図５（足同伴回転部の正回転に加えられる抵抗力が最も小さい）において最も大きく、図８および図９（足同伴回転部の正回転に加えられる抵抗力が最も大きな）において最も小さい。一方、第２バネ２２０の純変形量は、図４および図５において最も小さく、図８および図９において最も大きい。
【００５４】
レバーアーム３１０は、低い段階では、第１支点３１０ａを軸として多くの回転角分だけ回転し、第１バネ２１０に多くの純変形量を分配して、第２バネ２２０に少ない純変形量を分配する。しかし、高い段階では、第１支点３１０ａを軸として少ない回転角分だけ回転し、第１バネ２１０に少ない純変形量を分配して、第２バネ２２０に多くの純変形量を分配する。その結果、バネ定数の大きな第２バネに多くの純変形量が分配された高い段階では、足同伴回転部の正回転に大きな抵抗力を加えることができるようになる。
【００５５】
一方、第１バネ２１０および第２バネ２２０は、第ｋ段階において初期変形量を有することができる。その初期変形量は、第ｋ’−１段階（ｋ’は、ｋ≧３を満足するｋ）よりも第ｋ’段階においてより大きいことが好ましい。このため、段階が高くなるほど、第２バネ２２０の一端の初期位置を移動して、第２バネ２２０がより大きな初期変形量を有するようにする。第２バネ２２０がより大きな初期変形量を有して、より大きな力でレバーアーム３１０の第２支点３１０ｂを引くと、レバーアーム３１０が第１の方向へとさらに回転され、第１バネ２１０もまたより大きな変形量を有するようになる。第１バネ２１０および第２バネ２２０が初期変形量を有することになると、これらの初期変形量に起因する初期復元力によって足同伴回転部１０１を正回転させるためには、より大きな力を必要とする。
【００５６】
第２バネの一端を移動させて第２バネに初期変形量を与えるために、モーター４１０、ネジ軸４２０および移動ブロック４３０を具備してよい。モーターは、ネジ軸を回転させる。ネジ軸は、その外周にネジ山が形成されている。ネジ軸が回転すると、ネジ軸とネジ結合されるネジ孔を有する移動ブロックは、ねじ軸に沿って移動する。移動ブロックには、第２バネの一端が固定される。
【００５７】
図１０は、本発明の第２の実施形態に係る体型矯正装置を概略的に示した図面である。
【００５８】
図示したところのように、図１０の体型矯正装置は、図３の体型矯正装置と比較して、持ち手１０が手同伴回転部５０に置き換えられた構造を有する。左手同伴回転部は、左肩関節をぶら下げ、左肘関節を伸ばした使用者の左手と同伴回転する。左手同伴回転部は、左手の外回転に応じて反時計方向に正回転し、時計方向に復帰する。右手同伴回転部は、右肩関節をぶら下げ、右肘関節を伸ばした使用者の右手と同伴回転する。右手同伴回転部は、右手の外回転に応じて時計方向に正回転し、反時計方向に復帰する。
【００５９】
図１０においては、使用者が手同伴回転部５０を把持し、回転させる構造を図示しているが、必ずしもこれに限定されるものではない。たとえば、使用者が手を伸ばした状態から手同伴回転部に挿入して固定し、手と手同伴回転部が同伴回転される構造など、多様な変形例が可能である。
【００６０】
図１１は、図１０の体型矯正装置の右手同伴回転部の初期状態を示した図面であり、図１２は、図１０の体型矯正装置の右手同伴回転部の正回転状態を示した図面である。
【００６１】
手同伴回転部５０は、固定バー６０にヒンジ結合される。このために、固定バー６０の端部には、固定リング６１が形成される。また、手同伴回転部５０の端部には、回転軸５１が形成される。手同伴回転部５０の回転軸５１は、固定バー６０の固定リング６１に挿入された状態で回転する。
【００６２】
図１０の矯正装置は、一対の手同伴回転部５０に復元力を加えるために、左弾性部と右弾性部を有する。左弾性部は、左手同伴回転部の反時計方向への変位に抵抗する時計方向への復元力を加える。右弾性部は、右手同伴回転部の時計方向への変位に抵抗する反時計方向への復元力を加える。
【００６３】
弾性部７０としては、典型的にバネが使用される。図１０〜図１２においては、スパイラルバネ（ｓｐｉｒａｌ  ｓｐｒｉｎｇ）が弾性部７０として使用された実施例を図示している。この他にも、ねじりコイルバネ、トーションバーなどが使用されてよい。スパイラルバネの内側端は、固定リング６１に固定され、外側端は、回転軸５１から所定距離離隔された位置において手同伴回転部５０に固定される。
【００６４】
図１０〜図１２の体型矯正装置は、一対の手同伴回転部５０に、互いに異なる復元力を加える第１段階ないし第ｍ段階（ｍ≧２の自然数）を有してよい。第ｋ段階（ｋ＝２〜ｍ）においては、第ｋ−１段階よりも大きな前記復元力を一対の手同伴回転部５０に加えることができる。
【００６５】
たとえば、一対の弾性部７０は、第ｋ段階において初期変形量を有し、その初期変形量は、第ｋ’−１段階（ｋ’は、ｋ≧３を満足するｋ）よりも第ｋ’段階において大きくしてよい。このために、たとえば、第２段階においては、固定リング６１を反時計方向に１０度回転させてスパイラルバネに初期変形量を与え、より大きな復元力が要求される第３段階においては、固定リング６１を反時計方向に１０度さらに回転させてスパイラルバネにより大きな初期変形量を与えるのである。（このような構造においては、固定リング６１が固定バー６０の残りの部位（固定リング６１を除いた残りの部位）に対して回転可能な構造を有さなければならない）
【００６６】
図１０〜図１２の手同伴回転部５０は、肩関節の外回転に必要な筋肉を強化させて、使用者の上半身の体型を矯正してよい。
【００６７】
図１０は、手同伴回転部の足同伴回転部一つの装置内に一緒に完備実施例を示したが、必ずしもこれに限定されるものではない。たとえば、足同伴回転部なしで手同伴回転部のみを有する専用の矯正装置を構成することも可能である。
【図１】
2015532177.tif 000003
【図２】
2015532177.tif 000004
【図３】
2015532177.tif 000005
【図４】
2015532177.tif 000006
【図５】
2015532177.tif 000007
【図６】
2015532177.tif 000008
【図７】
2015532177.tif 000009
【図８】
2015532177.tif 000010
【図９】
2015532177.tif 000011
【図１０】
2015532177.tif 000012
【図１１】
2015532177.tif 000013
【図１２】
2015532177.tif 000014
【国際調査報告】
2015532177.tif 000015
2015532177.tif 000016
2015532177.tif 000017
2015532177.tif 000018